【手続補正書】
【提出日】平成17年5月17日(2005.5.17)
【手続補正１】
【補正対象書類名】明細書
【補正対象項目名】特許請求の範囲
【補正方法】変更
【補正の内容】
【特許請求の範囲】
【請求項１】
入力される映像データを記録媒体に記録する映像記録装置において、
入力される上記映像データを圧縮処理する圧縮手段と、
上記圧縮手段で圧縮された映像データを上記記録媒体に記録する記録手段と、
上記記録手段における記録動作を制御する制御手段とを備え、
上記制御手段が上記記録手段を制御することにより、上記記録媒体上に記録された映像データの記録位置を変更させる再配置を実行可能とすることを特徴とする映像記録装置。
【請求項２】
上記制御手段は、上記記録媒体上で映像データと映像データとの間に空きスペースが生じた場合に、この空きスペースを埋めるように上記再配置を行うことにより、各映像データが連続して配置されるようにすることを特徴とする請求項１記載の映像記録装置。
【請求項３】
上記制御手段は、上記記録された映像データを消去する指示に基づいて消去を行った後、上記再配置を行うことを特徴とする請求項１記載の映像記録装置。
【請求項４】
上記制御手段は、上記映像記録装置の電源投入に応じて上記再配置を行うことを特徴とする請求項１記載の映像記録装置。
【請求項５】
上記制御手段は、上記再配置を行ったのち上記映像記録装置を電源オフ状態へと移行させることを特徴とする請求項１記載の映像記録装置。
【請求項６】
上記再配置動作に関する情報を表示する表示手段を設けたことを特徴とする請求項１記載の映像記録装置。
【請求項７】
上記制御手段は、上記記録媒体上の複数セクタに渡って記録される各映像データを単位として上記再配置を行うことを特徴とする請求項１記載の映像記録装置。
【請求項８】
コンピュータに、
メモリ手段に記録された映像データの再配置を行う処理工程と、
上記メモリ手段上で記録された映像データと映像データとの間に空きスペースが生じた場合に、この空きスペースを埋めるように上記処理工程の再配置を行わせ、各映像データが連続して配置されるように、記録された映像データの記録位置を変更させる制御工程とを実行させるためのプログラムを記録したことを特徴とするコンピュータ読み取り可能な記録媒体。
【請求項９】
上記制御工程は、上記記録された映像データを消去する指示に基づいて消去を行った後、上記再配置を行わせることを特徴とする請求項８記載のコンピュータ読み取り可能な記録媒体。
【請求項１０】
上記プログラムは、さらに、上記コンピュータに、上記再配置動作に関する情報を表示手段に表示させる表示工程を実行させることを特徴とする請求項８記載のコンピュータ読み取り可能な記録媒体。
【請求項１１】
上記制御工程は、上記メモリ手段上の複数セクタに渡って記録される各映像データを単位として上記再配置を行わせることを特徴とする請求項８記載のコンピュータ読み取り可能な記録媒体。
【請求項１２】
記録媒体に記録された映像データの再配置を行う処理工程と、
上記記録媒体上で記録された映像データと映像データとの間に空きスペースが生じた場合に、この空きスペースを埋めるように上記処理工程の再配置を行わせ、各映像データが連続して配置されるように、記録された映像データの記録位置を変更させる制御工程とを有することを特徴とする映像記録装置の制御方法。
【請求項１３】
入力される映像情報を記録媒体に記録する映像記録装置において、
上記記録媒体上に記録された映像情報の再配置を行うデータ制御手段と、
装置本体の電源状態を識別する識別手段と、
上記識別手段の識別結果に応じて上記データ制御手段による映像情報再配置処理の実行を制御する制御手段とを備えたことを特徴とする映像記録装置。
【請求項１４】
請求項１３記載の映像記録装置において、
上記識別手段は、上記電源の種類を識別し、上記制御手段は、上記電源がＡＣ電源であるときに、上記映像情報再配置処理を実行するように構成されていることを特徴とする映像記録装置。
【請求項１５】
請求項１３記載の映像記録装置において、
上記識別手段は、上記電源の種類及び残量を識別し、上記制御手段は、上記電源がバッテリーであった場合には、その残量が所定レベル以上あるときに、上記映像情報再配置処理を実行するように構成されていることを特徴とする映像記録装置。
【請求項１６】
入力される映像情報を記録媒体に記録する映像記録装置において、
上記記録媒体上に記録された映像情報の再配置を行うデータ制御手段と、
上記記録媒体上のデータ記録済み領域とデータ未記録領域の分布状態を識別する識別手段と、
上記識別手段の識別結果に基づいて上記データ制御手段を制御し、互いに所定の距離範囲外において散在するデータ記録済み領域についてのみ上記映像情報再配置処理を実行する制御手段とを備えたことを特徴とする映像記録装置。
【請求項１７】
請求項１６記載の映像記録装置において、
上記記録媒体はハードディスクであることを特徴とする映像記録装置。
【請求項１８】
入力される映像情報を記録媒体に記録する映像記録装置において、
上記記録媒体上に記録された映像情報の再配置を行うデータ制御手段と、
上記記録媒体上のデータ記録済み領域とデータ未記録領域の分布状態を識別する識別手段と、
上記識別手段の識別結果に基づいて前記データ制御手段を制御し、上記記録媒体上における上記映像情報再配置を実行の対象となる領域を、所定範囲ずつ複数に分割し、上記映像情報再配置処理を複数回に分割して実行する制御手段とを備えたことを特徴とする映像記録装置。
【請求項１９】
入力される映像情報を記録媒体に記録する映像記録装置において、
上記記録媒体上に記録された映像情報の再配置を行うデータ制御手段と、
上記記録媒体上のデータ記録済み領域とデータ未記録領域の分布状態を識別する識別手段と、
上記識別手段の識別結果に基づいてデータ記録残量を表示する表示手段と、
上記識別手段の識別結果に基づき、データ未記録領域が連続する部分に相当する記録可能容量または時間を、記録残量として表示させる制御手段とを備えたことを特徴とする映像記録装置。
【請求項２０】
請求項１９記載の映像記録装置において、
上記制御手段は、上記記録媒体上のデータを消去して形成されたデータ未記録領域は前記記録残量に含めないようにしたことを特徴とする映像記録装置。
【請求項２１】
請求項１９記載の映像記録装置において、
上記制御手段は、上記記録媒体上のデータ記録済み領域の最後尾以降の連続する記録領域を記録残量として表示するようにしたことを特徴とする映像記録装置。
【手続補正２】
【補正対象書類名】明細書
【補正対象項目名】０００６
【補正方法】変更
【補正の内容】
【０００６】
【課題を解決するための手段】
そこで、本発明は、入力される映像データを記録媒体に記録する映像記録装置において、入力される上記映像データを圧縮処理する圧縮手段と、上記圧縮手段で圧縮された映像データを上記記録媒体に記録する記録手段と、上記記録手段における記録動作を制御する制御手段とを備え、上記制御手段が上記記録手段を制御することにより、上記記録媒体上に記録された映像データの記録位置を変更させる再配置を実行可能とすることを特徴とする。
【手続補正３】
【補正対象書類名】明細書
【補正対象項目名】０００７
【補正方法】変更
【補正の内容】
【０００７】
また、本発明は、コンピュータ読み取り可能な記録媒体であって、コンピュータに、メモリ手段に記録された映像データの再配置を行う処理工程と、上記メモリ手段上で記録された映像データと映像データとの間に空きスペースが生じた場合に、この空きスペースを埋めるように上記処理工程の再配置を行わせ、各映像データが連続して配置されるように、記録された映像データの記録位置を変更させる制御工程とを実行させるためのプログラムを記録することを特徴とする。